(57)【要約】      （修正有）【課題】不要な部品点数の増加を招来することなく、ハンガー部及びヘッドレストを着脱可能に取り付けることができる背凭れを提供する。【解決手段】背凭れ本体２を支持するフレーム体３に、ヘッドレスト４及びハンガー部５を着脱可能に取り付けるための共通の取付部６を設け、該取付け部を介してフレーム体に、ヘッドレスト及びハンガー部の何れもを取り付ける態様、ヘッドレスト又はハンガー部のいずれか一方を取り付ける態様、ヘッドレスト及びハンガー部の何れをも取り付けない態様から着座者の用途や好みに合わせた選択を可能とする。【選択図】図４
2008049081.tif 000002
【特許請求の範囲】
【請求項１】
ヘッドレスト及びハンガー部を着脱可能に取り付けるための共通の取付部を設けていることを特徴とする背凭れ。
【請求項２】
背凭れ本体と、当該背凭れ本体を支持するフレーム体とを備えた背凭れであって、
前記フレーム体に、ヘッドレスト及びハンガー部を着脱可能に取り付けるための共通の取付部を設けていることを特徴とする背凭れ。
【請求項３】
前記ヘッドレストが、ヘッドレスト本体と、当該ヘッドレスト本体を支持するヘッドレスト本体支持部とを備えたものであり、
前記ハンガー部が、ハンガー本体と、当該ハンガー本体を支持するハンガー本体支持部とを備えたものであり、
前記取付部が、前記ヘッドレスト本体支持部又は前記ハンガー本体支持部の何れか一方が挿入可能であり、且つ他方が外嵌可能な概略筒状のものである請求項１又は２記載の背凭れ。
【請求項４】
前記取付部が、前記ヘッドレスト本体支持部が挿入可能な被挿入部を備えたものであり、
当該被挿入部に対する前記ヘッドレスト本体支持部の挿入度合いを調整することにより前記取付部に対する前記ヘッドレスト本体の高さ位置を調整可能にしている請求項３記載の背凭れ。
【請求項５】
前記ヘッドレスト本体支持部にその高さ方向に沿って所定ピッチで係合部を複数設け、前記被挿入部に前記係合部が係合可能な被係合部を設けている請求項４記載の背凭れ。
【請求項６】
前記ハンガー部が、前記ハンガー本体支持部を対にして備えたものであり、これら各ハンガー本体支持部によって前記取付部を挟み込む位置に各ハンガー本体支持部を位置付けることにより前記ハンガー部を前記取付部に取付可能にしている請求項３、４又は５記載の背凭れ。
【請求項７】
前記各ハンガー本体支持部の内向き面に内方に突出する内方突出部を設け、前記取付部の外面部に前記内方突出部が係合可能な凹溝を形成している請求項６記載の背凭れ。
【請求項８】
前記フレーム体が、上端部に、平面視において前記背凭れ本体との間に間隙を形成し得る平面視湾曲状の湾曲フレーム部を備えたものであり、前記取付部を前記フレーム部の前面部に設けている請求項２記載の背凭れ。
【請求項９】
前記取付部が着脱可能なものである請求項１、２、３、４、５、６、７又は８記載の背凭れ。
【請求項１０】
座部と、請求項１〜９何れか記載の背凭れとを具備していることを特徴とする椅子。
【発明の詳細な説明】
【技術分野】
【０００１】
本発明は、背凭れ、及び背凭れを備えた椅子に関するものである。
【背景技術】
【０００２】
従来より、背凭れに衣服を掛けるためのハンガー部を取付可能にした椅子が知られている。その一例として、背凭れの上端部に形成した係合孔に、ハンガー部に設けた支持片を着脱可能に嵌合する態様が挙げられる（例えば特許文献１参照、以下「第１態様」と称す）。一方、背凭れにヘッドレストを取付可能にした椅子も知られており、その一例として背凭れに装着した取付部を利用してヘッドレストを着脱可能に取り付けた態様が挙げられる（例えば特許文献２参照、以下「第２態様」と称す）。また、ハンガー部又はヘッドレストのうち選択した何れか一方を背凭れに設けた取付部を利用して着脱可能に取り付けることが可能な椅子も知られている（例えば特許文献３参照、以下「第３態様」と称す）。
【特許文献１】特開２００３−１２５８９６号公報
【特許文献２】特開２００１−４１４２６７号公報
【特許文献３】特開平８−１５００４４号公報
【発明の開示】
【発明が解決しようとする課題】
【０００３】
前記第３態様は、前記第１態様及び第２態様と比較して、ハンガー部又はヘッドレストの何れか一方を着座者の用途や好みに応じて選択して取り付けることができるため、採り得るバリエーションが増えて実用性に富むものとなるが、ハンガー部又はヘッドレストの何れか選択した一方のみが取付可能なものであるため、当然のことながら一方を取り付けた場合には他方を取り付けることができず、ハンガー部及びヘッドレストの両方を取り付けたいとの要求に応えることができないという問題があった。一方で、第１態様と第２態様とを組み合わせてハンガー部及びヘッドレストの何れをも背凭れに取り付け可能にした場合、ハンガー部用の取付部と、ヘッドレスト用の取付部とがそれぞれ別々に必要であるため、部品点数の増加及び構造の複雑化を招来するという不具合が生じる。
【０００４】
本発明は、このような課題に着目してなされたものであって、主たる目的は、不要な部品点数の増加を招来することなく、ハンガー部及びヘッドレストを着脱可能に取り付けることができる背凭れを提供することにある。
【課題を解決するための手段】
【０００５】
すなわち、本発明の背凭れは、ヘッドレスト及びハンガー部を着脱可能に取り付けるための共通の取付部を設けていることを特徴とする。
【０００６】
また、本発明の背凭れは、背凭れ本体と、当該背凭れ本体を支持するフレーム体とを備えたものであって、前記フレーム体に、ヘッドレスト及びハンガー部を着脱可能に取り付けるための共通の取付部を設けていることを特徴とする。
【０００７】
このようなものであれば、共通の取付部を利用してヘッドレスト及びハンガー部を着脱可能に取り付けることができるため、取付部を介してフレーム体に、ヘッドレスト及びハンガー部の何れをも取り付ける態様、ヘッドレスト又はハンガー部の何れか一方を取り付ける態様、ヘッドレスト及びハンガー部の何れをも取り付けない態様の４つの態様から着座者の用途や好みに合わせて適宜選択することができ、採り得るバリエーションが増えて実用性に富むものとなる上、ヘッドレスト及びハンガー部をそれぞれ専用に設けた別体の取付部に取り付ける態様と比較して、部品点数の削減、構造の簡略化を有効に図ることができる。
【０００８】
特に、前記ヘッドレストが、ヘッドレスト本体と、当該ヘッドレスト本体を支持するヘッドレスト本体支持部とを備えたものであり、前記ハンガー部が、ハンガー本体と、当該ハンガー本体を支持するハンガー本体支持部とを備えたものであり、前記取付部が、前記ヘッドレスト本体支持部又は前記ハンガー本体支持部の何れか一方が挿入可能であり、且つ他方が外嵌可能な概略筒状のものであれば、取付部の構造を単純なものとすることができる。
【０００９】
また、前記取付部が、前記ヘッドレスト本体支持部が挿入可能な被挿入部を備えたものであり、当該被挿入部に対する前記ヘッドレスト本体支持部の挿入度合いを調整することにより前記取付部に対する前記ヘッドレスト本体の高さ位置を調整可能にしていれば、着座者の体格や着座姿勢に応じてヘッドレストの高さ位置を調整することができ、好適である。この場合、具体的な実施態様としては、前記ヘッドレスト本体支持部にその高さ方向に沿って所定ピッチで係合部を複数設け、前記被挿入部に前記係合部が係合可能な被係合部を設けた態様が挙げられる。
【００１０】
さらに、前記ハンガー部が、前記ハンガー本体支持部を対にして備えたものであり、これら各ハンガー本体支持部によって前記取付部を挟み込む位置に各ハンガー本体支持部を位置付けることにより前記ハンガー部を前記取付部に取付可能にしていれば、ハンガー本体支持部が取付部の外周面全体を被覆し得るものである態様と比較して、取付部の寸法誤差をハンガー本体支持部間の隙間で吸収することが可能である。
【００１１】
殊に、取付部に対するハンガー部の良好な取付状態を確保するとともに、よりスムーズな取付作業を実現するためには、前記各ハンガー本体支持部の内向き面に内方に突出する内方突出部を設け、前記取付部の外面部に前記内方突出部が係合可能な凹溝を形成すればよい。
【００１２】
加えて、前記フレーム体が、上端部に、平面視において前記背凭れ本体との間に間隙を形成し得るフレーム部を備えたものであり、前記取付部を湾曲フレーム部の前面部に設ければ、取付部を背凭れ本体の背面側に位置付けることとなり、取付部が外部に露出することを抑制し、取付部自体の早期損傷を回避できる。
【００１３】
前記取付部が、前記フレーム体等の背凭れの所定部位に着脱可能に取り付けられるものであれば、取付部のみを交換することが可能となり、また、ヘッドレスト及びハンガー部の何れをも取り付けない場合は取付部をフレーム体から取り外しておくことによりフレーム体の外観をシンプルなものにすることができる。
【発明の効果】
【００１４】
以上説明したように本発明によれば、不要な部品点数の増加を招来することなく、共通の取付部を介してハンガー部及びヘッドレストをフレーム体に着脱可能に取り付けることができる。
【発明を実施するための最良の形態】
【００１５】
以下、本発明の一実施形態を、図面を参照して説明する。
【００１６】
このように、本実施形態に係る背凭れ１は、例えば椅子に適用されるものであり、背凭れ本体２と、背凭れ本体２を支持するフレーム体３とを備えたものである。
【００１７】
背凭れ本体２は、メッシュ状の張地によって構成されたものであり、図３等に示すように、荷重が掛かっていない場合には平面視において略直線状に張設されている。
【００１８】
フレーム体３は、図１〜図３等に示すように、上端部に設けられ略水平に延びる平面視略湾曲状をなす湾曲フレーム部３１と、湾曲フレーム部３１の両端部から下方へ延伸する一対の側フレーム部３２と、これら側フレーム部３２の下端同士を連結する図示しない下フレーム部とを備えたものである。
【００１９】
湾曲フレーム部３１は、平面視において背凭れ本体２との間に間隙Ｓを形成し得る湾曲状をなすものである。
【００２０】
側フレーム部３２は、外方に開口する溝部を備え、この溝部に背凭れ本体２の端部を押し込むことにより背凭れ本体２をフレーム体３に取付可能にしている。なお、フレーム体３に取り付けた背凭れ本体２の抜け外れを防止する適宜の抜止手段を講じている。
【００２１】
しかして、本実施形態に係る背凭れ１は、図４〜図１１に示すように、フレーム体３に、ヘッドレスト４及びハンガー部５を取付可能にしている。
【００２２】
具体的には、フレーム体３のうち、湾曲フレーム部３１にヘッドレスト４及びハンガー部５を取り付けるための取付部６を着脱可能に取り付けている。取付部６は、図５〜図７等に示すように、湾曲フレーム部３１の前面部に設けた装着部３１１に着脱可能に取り付けられる。装着部３１１は、取付部６の一部が挿入可能な凹陥部を有するものである。この装着部３１１は、取付部６を取り付けていない場合には図１に示す蓋部材Ｃによって凹陥部を蓋封し、この蓋部材Ｃと湾曲フレーム部３１とが略面一となるようにしている。
【００２３】
取付部６は、高さ方向に貫通し本発明の「被挿入部」たる貫通孔６１を内部に形成した概略筒状のものである。この貫通孔６１の内面部に、本発明の係合部たるラッチピン（図示省略）を設けており、所定領域を前方に開口したものである。また、取付部６の両側縁部に、後述するハンガー本体支持部５２に設けた内方突出部５２１が係合可能な凹溝６２を形成している。
【００２４】
ヘッドレスト４は、図４〜図９に示すように、ヘッドレスト本体４１と、ヘッドレスト本体４１を支持する単一のヘッドレスト本体支持部４２とを備えたものである。ヘッドレスト本体４１は、側面視において中央部を前方に突出させた湾曲状をなすものである。ヘッドレスト本体支持部４２は、ヘッドレスト本体４１の背面側上端部位から下方に向かって延伸する平板状のものであり、その横断面形状を、取付部６の貫通孔６１の開口形状よりも若干小さく設定している。そして、このヘッドレスト本体支持部４２に、前記貫通孔６１に設けたラッチピンに係合可能な本発明の係合凹部４２１を高さ方向に沿って所定ピッチで複数形成している。
【００２５】
このようなヘッドレスト４は、ヘッドレスト本体支持部４２を取付部６の貫通孔６１に上方から挿入し、ラッチピンと係合凹部４２１とを弾性係合させることにより取付部６に取り付けることができる。この取付状態において、ヘッドレスト本体４１が湾曲フレーム部３１及び背凭れ本体２よりも前方且つ上方に位置付けられる。また、ヘッドレスト本体４１の高さ位置を調整する際には、ヘッドレスト本体支持部４２を昇降させる操作力を付与することによって、ラッチピンを一時的に弾性退避させてラッチピンと係合凹部４２１との係合状態を解除し、弾性復帰するラッチピンと他の係合凹部４２１とを係合させることにより行う。
【００２６】
一方、ハンガー部５は、図４〜図８、図１０及び図１１に示すように、ハンガー本体５１と、ハンガー本体５１の中央部から斜め前方に降下させた傾斜部５３を介してハンガー本体５１を支持するハンガー本体支持部５２とを備えたものである。ハンガー本体５１は、略水平に延伸した平面視湾曲状のものである。本実施形態では、ハンガー本体５１の曲率半径を湾曲フレーム部３１の曲率半径と略同一に設定している。ハンガー本体支持部５２は、傾斜部５３の下端から下方に向かって延伸するものであり、本実施形態ではこのハンガー本体支持部５２を左右一対にして設けている。これらハンガー本体支持部５２間の内法離間寸法を、取付部６を側方から挟み込み得る寸法に設定している。そして、各ハンガー本体支持部５２の内向き面に内方に突出する内方突出部５２１を設け、この内方突出部５２１が取付部６の外面部に形成した凹溝６２に係合し得るようにしている（図１１参照）。
【００２７】
このようなハンガー部５は、各ハンガー本体支持部５２の内方突出部５２１を取付部６の凹溝６２にそれぞれ係合させながら上方から差し込むことにより取付部６に取り付けることができる。この取付状態において、各ハンガー本体支持部５２によって取付部６を両側方から挟み込んだ状態になるとともに、ハンガー本体５１が湾曲フレーム部３１よりも後方に位置付けられる。さらに、傾斜部５３の下端部の一部を湾曲フレーム部３１に載せ置いた状態で支持させることによってハンガー部５の良好な取付状態及び支持状態を維持している。なお、ハンガー部５には、取付部６にヘッドレスト４を取り付けない場合に、取付部６の貫通孔６１を被覆し得るカバー部５４を、ハンガー本体支持部５２間を接続し得る位置に設けている。このカバー部５４は、使い切り（使い捨て）タイプであってもよく、ハンガー本体支持部５２間に繰り返し着脱可能なもの何れであってもよい。
【００２８】
このように、本実施形態に係る背凭れ１は、フレーム体３に、ヘッドレスト４及びハンガー部５を着脱可能に取り付けるための共通の取付部６を設けているため、共通の取付部６を介してフレーム体３に、ヘッドレスト４及びハンガー部５の何れをも取り付ける態様（図４参照）、ヘッドレスト４又はハンガー部５の何れか一方を取り付ける態様（図９、図１０参照）、或いはヘッドレスト４及びハンガー部５の何れをも取り付けない態様（図１参照）の４つの態様から着座者の用途や好みに合わせて適宜選択することができ、採り得るバリエーションが増えて実用性に富むものとなる上、ヘッドレスト４及びハンガー部５をそれぞれフレーム体に個別に設けたヘッドレスト用取付部、ハンガー部用取付部に取り付ける態様と比較して、部品点数の削減、構造の簡略化を有効に図ることができる。
【００２９】
特に、取付部６が、ヘッドレスト本体支持部４２が挿入可能であり、且つハンガー本体支持部５２が外嵌可能な概略筒状のものであるため、取付部６自体の構造をも単純なものとすることができる。
【００３０】
加えて、取付部６が、ヘッドレスト本体支持部４２の挿入を許容する貫通孔６１を備えたものであり、貫通孔６１に対するヘッドレスト本体支持部４２の挿入度合いを調整することにより取付部６に対するヘッドレスト本体４１の高さ位置を調整可能にしているため、着座者の体格や着座姿勢に合わせてヘッドレスト４の高さ位置を変更することができ、広い汎用性を付与することができる。この場合、ヘッドレスト本体支持部４２にその高さ方向に沿って所定ピッチで係合凹部４２１を複数設け、貫通孔６１に係合凹部４２１が係合可能なラッチピンを設けているため、ヘッドレスト４の高さ位置を調整するための機構を簡単な構造で実現できる。
【００３１】
また、ハンガー本体支持部５２を左右方向に所定距離離間させて対にして設け、これら各ハンガー本体支持部５２によって取付部６を挟み込む位置に各ハンガー本体支持部５２を位置付けることによりハンガー部５を取付部６に取付可能にしているため、ハンガー本体支持部が取付部の外周面全体を被覆し得るものである態様と比較して、取付部６の寸法誤差をハンガー本体支持部５２間の隙間で吸収することが可能である。
【００３２】
殊に、各ハンガー本体支持部５２の内向き面に内方に突出する内方突出部５２１を設け、取付部６の外面部に内方突出部５２１が係合可能な凹溝６２を形成しているため、これら内方突出部５２１及び凹溝６２が共同していわゆる「さねはぎ」として機能し、ハンガー部５と取付部６との取付状態を更に良好なものとすることができるとともに、ハンガー部５を取付部６に取り付ける際に、内方突出部５２１を凹溝６２に沿って案内させることにより取付部６に対するハンガー部５の取付作業及び着脱作業をスムーズ且つ的確に行うことができる。
【００３３】
前記フレーム体３が、上端部に、平面視において背凭れ本体２との間に間隙Ｓを形成し得る湾曲状の湾曲フレーム部３１を備えたものであり、取付部６を湾曲フレーム部３１の前面部に設けているため、取付部６を背凭れ本体２の背面側に位置付けることとなり、取付部６が外部に露出することを抑制し、取付部６自体の損傷を回避することができる。また、取付部６が外部から視認し難いため、デザイン面においても好ましいものになる。
【００３４】
さらに、取付部６が、フレーム体３に着脱可能に取り付けられるものであるため、取付部６のみを交換することができるとともに、ヘッドレスト４及びハンガー部５の何れをも取り付けない場合は取付部６を外しておくことによりフレーム体３、ひいては背凭れ１全体の外観をシンプルなものにすることができる。
【００３５】
なお、本発明は、以上に詳述した実施形態に限られるものではない。
【００３６】
例えば、取付部は、フレーム体に着脱不能に一体に又は一体的に設けたものであっても構わない。
【００３７】
また、取付部として、ハンガー本体支持部が挿入可能であり、ヘッドレスト本体支持部が外嵌可能な概略筒状のものであってもよい。この場合、ハンガー本体支持部、ヘッドレスト本体支持部は、取付部に挿入可能又は取付部を外嵌可能な形状に適宜変更すればよい。
【００３８】
また、取付部の被挿入部として、高さ方向に貫通した貫通孔に替えて、有底筒状の凹部を適用してもよい。
【００３９】
また、ヘッドレスト本体支持部にその高さ方向に沿って所定ピッチで複数設ける係合部として、前記実施形態に示す凹部に替えて、孔又は凸部を採用してもよく、この場合、取付部の被係合部として、前記孔又は凸部が係合する係合爪又は係合凹部を採用すればよい。
【００４０】
また、ハンガー部の高さ位置を、無段階に高さ調整可能に設定しても構わない。さらに、ヘッドレスト本体支持部にその高さ方向に沿って所定ピッチで係合部を複数設け、前記係合部に係合可能な被係合部を設け、この係合部と被係合部とを係合させた状態と係合不能な状態とに切替可能な操作部を備えた背凭れを採用してもよい。
【００４１】
フレーム体の上端部を構成するフレーム部は、湾曲状に限らず、平面視略直線状のものであっても構わない。またフレーム体の上端部以外の部位に取付部を設けた態様を採用してもよい。
【００４２】
背凭れ本体として、メッシュ状の張地以外のものを適用しても構わない。
【００４３】
また、前記実施形態では、背凭れ本体と、フレーム体とを備えた背凭れを例示したが、これに限らず、例えば、単一のシェル構造体によって構成される背凭れのように、背凭れ本体そのものがフレーム体として機能する、又はフレーム体そのものが背凭れ本体として機能する背凭れであってよい。この場合、取付部は、背凭れの所定部位に設けられるものであればよい。
【００４４】
さらには、このような背凭れを、ベンチやソファ等、背凭れを有する椅子以外の家具に適用してもよい。
【００４５】
その他、各部の具体的構成についても上記実施形態に限られるものではなく、本発明の趣旨を逸脱しない範囲で種々変形が可能である。
【図面の簡単な説明】
【００４６】
【図１】本発明の一実施形態に係るフレーム体の要部透視図。
【図２】図１に示すフレーム体の正面図。
【図３】図１に示すフレーム体の平面図。
【図４】同実施形態に係るフレーム体に取付部を介してヘッドレスト及びハンガー部を取り付けた状態の要部透視図。
【図５】同状態の分解透視図。
【図６】同状態の正面図。
【図７】同状態の分解正面図。
【図８】同状態の平面図。
【図９】同実施形態に係るフレーム体に取付部を介してヘッドレストを取り付けた状態の要部透視図。
【図１０】同実施形態に係るフレーム体に取付部を介してハンガー部を取り付けた状態の要部透視図。
【図１１】図１０の要部拡大分解図。
【符号の説明】
【００４７】
１…背凭れ
２…背凭れ本体
３…フレーム体
３１…湾曲フレーム部
４…ヘッドレスト
４１…ヘッドレスト本体
４２…ヘッドレスト本体支持部
４２１…係合部（係合凹部）
５…ハンガー部
５１…ハンガー本体
５２…ハンガー本体支持部
５２１…内方突出部
６…取付部
６１…被挿入部（貫通孔）
６２…凹溝
【図１】
2008049081.tif 000003
【図２】
2008049081.tif 000004
【図３】
2008049081.tif 000005
【図４】
2008049081.tif 000006
【図５】
2008049081.tif 000007
【図６】
2008049081.tif 000008
【図７】
2008049081.tif 000009
【図８】
2008049081.tif 000010
【図９】
2008049081.tif 000011
【図１０】
2008049081.tif 000012
【図１１】
2008049081.tif 000013